(57)【要約】【課題】密封された冷凍固形物を解凍せずに容易に袋から取出すことの出来る冷凍固形物用の袋を提供することを課題とする。【解決手段】袋の両サイドに設けられた圧着帯２、３の上部と下部に、圧着帯に垂直方向に袋を切り裂く切欠き２ａ，２ｂ，２ａ、３ｂ構造を設け、切り裂いた上下の切口を密封された冷凍固形物用に対する開封口６及び／または通気口５とすると共に、少なくとも袋の前面及び／または背面の略中央に上下に延びる襞状のつまみ部７、８を設けたことを特徴とする。また、前記つまみ部７は、表内層不圧着部１０のミシン目１０ａから切り離された表層材１１が、袋の略中央部に襞状のつまみ部７を形成することを特徴とする。【選択図】図２
2006044678.tif 000002
【特許請求の範囲】
【請求項１】
ヒートシール性を有する合成樹脂膜部材を用いた熱圧着による袋形成に際して、袋の両サイドに設けられた圧着帯の上部と下部を圧着帯に垂直方向に袋を切り裂ける構造とし、その切り裂いた上下の切口を密封された冷凍固形物に対する開封口及び／または通気口とすると共に、少なくとも袋の前面及び／または背面の略中央に上下に延びる襞状のつまみ部を設けたことを特徴とする冷凍固形物を解凍せずに取り出せる袋。
【請求項２】
前記合成樹脂膜部材は、少なくとも表層材と内層材からなる多層の合成樹脂膜部材であって、袋の前面及び／または背面部材に、袋の略中央から片端部方向にかけて上下に延びる所定幅の表層材と内層材が圧着されない表内層材不圧着部を設け、表内層材不圧着部の表層材に上下に延びるミシン目を形成し、ミシン目から切り離した表層材が袋の略中央部に襞状のつまみ部を形成することを特徴とする請求項１記載の冷凍固形物を解凍せずに取り出せる袋。
【発明の詳細な説明】
【技術分野】
【０００１】
本発明は、密封された冷凍固形物を解凍せずに容易に袋から取出すことの出来る袋に関し、詳しくは冷凍固形物にこびり付いた袋を冷凍固形物から拡げてきしめはがすための開封口及び／または通気口、及びつまみ部の構造に関する。
【背景技術】
【０００２】
従来から、内容物が収納された包装袋を容易に開封可能にする構造の発明が数多く提案されている。
【０００３】
特許文献１には、袋の表面及び背面のうち一方の面に、両サイド辺と併行に合掌状の背張りシール帯が背びれ状に形成されていると共に、その両サイド辺と直交する２辺のうち一方の辺にシール帯が形成されている袋において、上記シール帯に、Ｖ字形のノッチを、そのＶ字形の切り欠きが前記背張りシール帯の基端線に位置するように設置した包装袋が提案されている。
【０００４】
この発明によれば、合掌状の背張りシール帯を利用し、ノッチの設け方を工夫することにより、易開封がなされるばかりでなく、内容物が袋いっぱいに収容されているときであっても、その内容物を円滑に取出すことを可能にしている。尚、この発明では包装物としてマスクや使い捨てカメラなどを想定しており、包装材と密着した冷凍固形物は想定されていない。
【０００５】
しかしながら、内容物が冷凍固形物であり、冷凍状態のまま解凍せずに取出す場合には、切込みを切り裂いても、冷凍固形物が包装袋に密着して取り出せず、自然解凍、流水解凍、電子レンジによる解凍などの解凍後でないと取り出せない問題があった。
【０００６】
【特許文献１】特開２００３−５４５７８号公報（第２、３頁、第１図）
【発明の開示】
【発明が解決しようとする課題】
【０００７】
本発明は前述した問題に鑑みてなされたもので、密封された冷凍固形物を解凍せずに容易に袋から取出すことが出来るように、冷凍固形物にこびり付いた袋を冷凍固形物から拡げてきしめはがすための開封口及び／または通気口、及び襞状つまみ部を設けた冷凍固形物用の袋を提供することを課題とする。
【課題を解決するための手段】
【０００８】
前記課題を解決するため、本発明の冷凍固形物を解凍せずに取り出せる袋は、ヒートシール性を有する合成樹脂膜部材を用いた熱圧着による袋形成に際して、袋の両サイドに設けられた圧着帯の上部と下部を圧着帯に垂直方向に袋を切り裂ける構造とし、その切り裂いた上下の切口を密封された冷凍固形物に対する開封口及び／または通気口とすると共に、少なくとも袋の前面及び／または背面の略中央に上下に延びる襞状のつまみ部を設けたことを特徴とする。
【０００９】
また、前記合成樹脂膜部材は、少なくとも表層材と内層材からなる多層の合成樹脂膜部材であって、袋の前面及び／または背面部材に、袋の略中央から片端部方向にかけて上下に延びる所定幅の表層材と内層材が圧着されない表内層材不圧着部を設け、表内層材不圧着部の表層材に上下に延びるミシン目を形成し、ミシン目から切り離した表層材が袋の略中央部に襞状のつまみ部を形成することを特徴とする。
【発明の効果】
【００１０】
冷凍固形物は、内容物が袋ごと冷凍される場合には、内容物と袋の内側は密封状態でこびりついているため、開封しても内容物が取り出せない状態にあり、内容物を取出すには自然解凍、流水解凍、電子レンジ解凍等により解凍してからでないと取出せない状態にあったが、本発明の冷凍固形物を解凍せずに取出せる袋によれば、袋の上部と下部に開封口及び／または通気口を形成できるために空気の通路が形成でき密封状態が解除され、袋に設けたつまみ部をつまんで内容物たる冷凍固形物にこびり付いた袋を拡げて冷凍固形物から強制的に袋をきしめはがすことができ、冷凍固形物を解凍せずに袋から容易に取出すことができる。
【発明を実施するための最良の形態】
【００１１】
本発明の実施の形態を図に基づいて詳細に説明する。
【００１２】
図１は本発明の第１の実施例を示す説明図で、（ａ）は本発明の袋の前面を示す正面図、（ｂ）は袋の背面を示す正面図、（ｃ）は（ａ）の断面図、（ｄ）は（Ｂ）の断面図、（ｅ）は（ｃ）の表内層材不圧着部１０の表層材１１をミシン目で切り離してつまみ部を形成した断面図である。
【００１３】
図２は、本発明の袋から冷凍固形物を取出す状態を示す斜視図である。図２には、袋の前面に形成した襞状のつまみ部と、袋の背面に設けたつまみ部をつまんで袋を拡げて冷凍固形物から強制的にきしめはがして、冷凍固形物を取出した状態を示す。なお、図１と同じ符号は、図１と同機能でありその説明を省略する。
【００１４】
図１で、１は冷凍固形物を解凍せずに取り出せる袋、２、３はその袋１の両辺の圧着帯である。袋の両サイドに設けられた圧着帯２、３の上部と下部に、圧着帯に垂直方向に袋を切り裂く切欠き構造が設けられている。
【００１５】
この実施の形態においては、袋１の開封用に圧着帯２には上下２箇所に切欠き部２ａ、２ｂを設け、圧着帯３には２箇所に切欠き部３ａ、３ｂを設ける。
【００１６】
切欠き部２ａ、３ａは袋１の上部を通気口５として切り裂くための切欠き部であり、切欠き部２ｂ、３ｂは袋１の下部を開封口６として切り裂くための切欠き部である。なお、袋１の上下は対称なので、通気口５と開封口６は上下逆にしても成り立つ。
【００１７】
また、袋１の前記合成樹脂膜部材は、少なくとも表層材１１と内層材９からなる多層の合成樹脂膜部材であって、袋１の前面及び／または背面部材に、袋の略中央から片端部方向にかけて上下に延びる所定幅の前記表層材と内層材が圧着されない表内層材不圧着部１０を設け、表内層材不圧着部１０の表層材１１に上下に延びるミシン目を形成し、ミシン目から切り離した表層材１１で袋の中央部に襞状のつまみ部を形成させる。
【００１８】
この実施例では、図１（ａ）、図１（ｃ）に示すように、袋１前面包材の中央左半分片側の長手方向に、片端が袋１の中央近傍にあるように内層材９と表層材１１とが圧着されない表内層材不圧着部１０を設け、この表内層材不圧着部１０の表層材１１に長手方向にミシン目１１ａを設けている。
【００１９】
また、袋１の背面には、図１（ｂ）及び（ｄ）に示すように、背面の中央近傍の長手方向に襞状のつまみ部８が設けられている。この襞は、合成樹脂膜部材の圧着接合で形成させることができる。
【００２０】
開封時には、袋１の切欠き部２ａ、２ｂをそれぞれ圧着帯２と直交する方向へ、切欠き部３ａ、３ｂをそれぞれ圧着帯３と直交する方向へ切り裂き、通気口５と開封口６を開封する。
【００２１】
次に図１（ｅ）に示すように、表層材１１を表内層不圧着部１０に設けられたミシン目１１ａから指で切り離して、袋前面の中央近傍長手方向に襞状のつまみ部７を形成する。
【００２２】
このつまみ部７と袋背面に設けられた襞状のつまみ部８をつまんで、冷凍固形物４（図２参照）にこびり付いた袋１を拡げながら冷凍固形物４から強制的にきしめはがすと、袋１の上部の通気口と下部の開封口とで空気の通路が形成されて密封状態が解除され、図２に示すように冷凍固形物４にこびり付いた袋１は冷凍固形物４からはがれ、冷凍固形物４を袋１から容易に取出すことが出来る。
【００２３】
ここでミシン目１１ａの配設位置としては、表内層材不圧着部１０の長手方向端部から２５ｍｍ程度以上離れた位置に配することにより、指先でミシン目を切り剥がし易くなる。すなわち、ミシン目１１ａは、表内層材不圧着部１０の左右いずれの端部からも２５ｍｍ以上離した位置に配置することが望ましい。
【００２４】
この第１の実施例は、開封時に、つまみ部を形成することができるため、開封するまでは、袋の前面の印刷が平坦で連続しており、袋の前面に装飾印刷層が設けられている多くの場合に適する。
【００２５】
第２の実施例は、実施例１に示した袋１の前面の構造を、袋の前面と背面に設ける構造である。（図示せず）
【００２６】
第２の実施例でも、袋１の切欠き部２ａ、２ｂと切欠き部３ａ、３ｂをそれぞれ切り裂き、通気口５と開封口６を開封するのは、実施例１と同様である。
【００２７】
次に、袋１の前面と背面の中央近傍の長手方向に襞状のつまみ部７を形成するために、袋１の前面と背面の表層材１１を表内層不圧着部１０に設けたミシン目１１ａから指で切り離す。
【００２８】
この袋の前面と背面の中央近傍の長手方向のつまみ部７をつまんで、冷凍固形物４にこびり付いた袋を拡げながら冷凍固形物４から強制的にきしめはがすと、袋の上部の通気口と下部の開封口とで空気の通路が形成でき密封状態が解除され、冷凍固形物４にこびり付いた袋は冷凍固形物４からはがれ、冷凍固形物４を袋から容易に取出すことが出来る。
【００２９】
この第２の実施例は、開封時に、つまみ部を袋の前面、背面の両方に形成することができるため、開封するまでは、袋の両面の印刷が平坦で連続しており、袋の両面に装飾印刷層が設けられている場合に適する。
【００３０】
第３の実施例は、第１の実施例に示した袋１の背面の構造を、袋の前面と背面に設けた構成である。（図示せず）
【００３１】
第３の実施例でも、袋の切欠き部２ａ、２ｂと切欠き部３ａ、３ｂをそれぞれ切り裂き、通気口５と開封口６を開封するのは、第１の実施例と同様である。
【００３２】
次に、袋の前面と背面の中央近傍の長手方向に設けたつまみ部８をつまんで、冷凍固形物４にこびり付いた袋を拡げながら冷凍固形物４から強制的にきしめはがすと、袋の上部の通気口と下部の開封口とで空気の通路が形成でき密封状態が解除され、冷凍固形物４にこびり付いた袋は冷凍固形物４からはがれ、冷凍固形物４を袋から容易に取出すことが出来る。
【００３３】
この第３の実施例に示す袋は、装飾印刷層を設けた外袋内に包装されるような内袋などで、袋を構成する包材として装飾印刷層を設ける必要がない場合に適する。
【００３４】
また、本発明では圧着帯に垂直方向に袋を切り裂く切欠き構造を設けることを特徴としたが、袋１を構成する包材の多層合成樹脂膜部材の一部に、剪断性の良いアルミニウム層等を用いる場合は、実施例に示す袋１に設けた切欠き部２ａ、２ｂ、３ａ、３ｂは必ずしも必要としない。
【００３５】
但し、切欠き構造として剪断性の良いアルミニウム層等を用いる場合は、袋１の上部を通気口５として、袋１の下部を開封口６として切り裂くべしとの切り裂き箇所を示す案内説明書きを袋表面に施すことが望ましい。
【００３６】
また、この実施例に示した襞状のつまみ部７、８は、袋の上下に亘り設けてある形態を示したが、必ずしも袋１の上下方向（或いは長手方向）の全長に設ける必要はなく、上下方向の１箇所以上に部分的に設け、つまみ部としての機能が発揮されればよい。
【００３７】
さらに、実施例に示す襞状のつまみ部７，８は、袋１の幅すなわち袋１の長手方向に垂直方向の長さが手のひらに納まる６０ｍｍ程度以下の場合は、必ずしも袋１の前面と背面の両方に設ける必要はなく、前面または背面のどちらか一方に設ければよい。
【００３８】
この発明は、広く需要のある冷凍食品のみならず、解凍せずに取出したい冷凍固形物のすべての袋に適用することができる。
【図面の簡単な説明】
【００３９】
【図１】本発明の第１の実施例を示す説明図で、（ａ）は本発明の袋の前面を示す正面図、（ｂ）は袋の背面を示す正面図、（ｃ）は（ａ）の断面図、（ｄ）は（ｂ）の断面図、（ｅ）は（ｃ）の表内層材不圧着部１０の表層材１１をミシン目で切り離してつまみ部を形成した断面図である。
【図２】本発明の袋から冷凍固形物を取出す状態を示す斜視図である。
【符号の説明】
【００４０】
１  冷凍固形物用袋
２  圧着帯（袋の一辺の圧着帯）
３  圧着帯（袋の他辺の圧着帯）
２ａ、３ａ  切欠き部
２ｂ、３ｂ  切欠き部
４  冷凍固形物
５  通気口
６  開封口
７  つまみ部
８  つまみ部
９  内層材
１０  表内層材不圧着部
１１  表層材
１１ａ  （表層材１１に設けた）ミシン目
【図１】
2006044678.tif 000003
【図２】
2006044678.tif 000004